(57)【特許請求の範囲】
【請求項１】
通信端末利用者（９）の現時点の視線方向を特定して、画像データを送信装置（１）から少なくとも一つの通信端末（８）に伝送して画像再生手段（８５）により表示する、画像データ（２０）を伝送し、表示するための方法において、第一画像データ（２５）は低い解像度で第一伝送チャネルにより伝送されること、現時点の視線方向（２２）は送信装置（１）の逆方向チャネルに送信されること、少なくとも一人の利用者の現時点あるいは将来時点の観察画像領域に対応するより高い解像度の第二画像データ（２１，２４）は第二伝送チャネルにより伝送されること、第一および第二画像データは通信端末において重畳されて、同時に再生されること、視線方向（２２）が予測して特定されることを特徴とする方法。
【請求項２】
視線方向が視点の動きを考慮して予測されることを特徴とする前述の請求項１に記載の方法。
【請求項３】
視線方向が画像データの観察対象物の動きを考慮して予測されることを特徴とする請求項１に記載の方法。
【請求項４】
視線方向が画像の注目された領域を考慮して予測されることを特徴とする請求項１に記載の方法。
【請求項５】
画像データが画像再生手段（８５）により利用者（９）の網膜に投射されることを特徴とする前述の請求項１から４までのいずれか一つに記載の方法。
【請求項６】
観察画像領域（２１）が網膜の中心窩に投射されるべき画像領域であることを特徴とする前述の請求項５に記載の方法。
【請求項７】
観察画像領域（２１）の大きさを調節することができることを特徴とする前述の請求項１から６までのいずれか一つに記載の方法。
【請求項８】
観察画像領域（２１）の大きさを第二伝送チャネル（７）の帯域幅に適合させることができることを特徴とする前述の請求項１から７までのいずれか一つに記載の方法。
【請求項９】
第一画像データ（２５）が第一伝送チャネル（４）により放送形式で伝送されることを特徴とする前述の請求項１から８までのいずれか一つに記載の方法。
【請求項１０】
第一画像データ（２５）がＤＶＢデータとして伝送されることを特徴とする前述の請求項９に記載の方法。
【請求項１１】
第一画像データ（２５）が磁気式および／または光学式データ記録媒体にコピーされ、販売されることを特徴とする前述の請求項１から１０までのいずれか一つに記載の方法。
【請求項１２】
音声データが第一画像データ（２５）と同時に第一伝送チャネル（４）により伝送され、通信端末（８）により再生されることを特徴とする前述の請求項１から１１までのいずれか一つに記載の方法。
【請求項１３】
第二伝送チャネル（７）が双方向型であり、逆方向チャネルがこの双方向型第二伝送チャネル（７）の逆方向チャネルであることを特徴とする前述の請求項１から１２までのいずれか一つに記載の方法。
【請求項１４】
第二伝送チャネル（７）が公衆電話交換網から構成されることを特徴とする前述の請求項１３に記載の方法。
【請求項１５】
電話網が移動無線網であることを特徴とする前述の請求項１４に記載の方法。
【請求項１６】
第二伝送チャネル（７）がＴＣＰ−ＩＰ網から構成されることを特徴とする前述の請求項１から１５までのいずれか一つに記載の方法。
【請求項１７】
利用者識別データが逆方向チャネルにより課金センター（６）に送信され、課金センターにより視聴された画像の課金のために利用されることを特徴とする前述の請求項１から１６までのいずれか一つに記載の方法。
【請求項１８】
少なくとも一人の利用者により要求された追加マルチメディアデータが第二伝送チャネル（７）により送信されることを特徴とする前述の請求項１から１７までのいずれか一つに記載の方法。
【請求項１９】
追加マルチメディアデータが表示画像の中の目で選択されるハイパーリンクに対応することを特徴とする前述の請求項１８に記載の方法。
【請求項２０】
画像データを受信し、画像再生手段（８５）で表示することができ、通信端末利用者（９）の現時点の視線方向（２２）を特定することができる通信端末（８）において、低い解像度の第一画像データ（２５）を第一伝送チャネル（４）により受信することができること、利用者により現時点および／または将来時点の観察画像領域に対応するより高い解像度の第二画像データ（２１，２４）を第二伝送チャネル（７）により受信することができること、視線方向（２２）を逆方向チャネルにより送信することができること、第一および第二画像データを重畳して、同時に再生することができること、視線方向が予測して特定されることを特徴とする通信端末。
【請求項２１】
画像データが画像再生手段（８５）により利用者（９）の網膜に投射されることを特徴とする前述の請求項２０に記載の通信端末。
【請求項２２】
画像再生手段（８５）が画像データに対応した画像信号を利用者の網膜に投射する仮想網膜表示装置であることを特徴とする前述の請求項２１に記載の通信端末。
【請求項２３】
画像再生手段（８５）が通信端末（８）の受信機（８０，８３）とは異なるユニットに統合されていることを特徴とする前述の請求項２０から２２までのいずれか一つに記載の通信端末。
【請求項２４】
ユニットが非接触型インタフェースにより近接して接続されていることを特徴とする前述の請求項２３に記載の通信端末。
【請求項２５】
現時点の観察画像領域が網膜の中心窩に投射されるべき画像領域に対応することを特徴とする前述の請求項２１に記載の通信端末。
【請求項２６】
現時点の観察画像領域（２１）の広さを調節することができることを特徴とする前述の請求項２５に記載の通信端末。
【請求項２７】
通信端末が第一伝送チャネル（４）により放送形式で伝送される画像データのための第一受信機（８０）から構成されることを特徴とする前述の請求項２０から２６までのいずれか一つに記載の通信端末。
【請求項２８】
第一受信機（８０）が無線受信機であることを特徴とする前述の請求項２７に記載の通信端末。
【請求項２９】
第一受信機（８０）がＤＶＢ無線受信機であることを特徴とする前述の請求項２８に記載の通信端末。
【請求項３０】
第一受信機がデータ記録媒体の読取機から構成されることを特徴とする前述の請求項２７に記載の通信端末。
【請求項３１】
通信端末が第二伝送チャネル（７）により伝送される画像データのための第二受信機（８３）から構成されることを特徴とする前述の請求項２０から３０までのいずれか一つに記載の通信端末。
【請求項３２】
第二受信機（８３）が逆方向チャネル（７）により視線方向（２２）を送信することができる送受信機であることを特徴とする前述の請求項３１に記載の通信端末。
【請求項３３】
第二受信機（８３）が移動無線端末であることを特徴とする前述の請求項３２に記載の通信端末。
【請求項３４】
通信端末が第二伝送チャネル（７）により視線方向（ｘ，ｙ）を送信装置（１）にリアルタイムに送信することを特徴とする前述の請求項２０から３３までのいずれか一つに記載の通信端末。
【請求項３５】
通信端末が第二画像データ（２１，２４）のためのキャッシュメモリ（８４）から構成されることを特徴とする前述の請求項２０から３４までのいずれか一つに記載の通信端末。
【請求項３６】
キャッシュメモリ（８４）が現時点の観察画像領域（２１）より広い領域（２１＋２４）の画像データに対応し、キャッシュメモリから抽出される画像データが現時点の視線方向（ｘ，ｙ）に依存することを特徴とする前述の請求項３５に記載の通信端末。
【請求項３７】
通信端末がさらに第一画像データ（２５）のための第一キャッシュメモリ（８１）を含み、第一および第二キャッシュメモリからデータが同期して抽出されることを特徴とする前述の請求項３５または３６に記載の通信端末。
【請求項３８】
送信装置が以下の構成要素から構成され、視線方向が予測して特定されることを特徴とする送信装置、
逆方向チャネルにより伝送される少なくとも一人の利用者（９）の視線方向（２２）を含むデータを受信するための受信機、
第一画像データ（２５）を低い解像度で圧縮し、第一伝送チャネル（４）により放送形式で送信するための第一符号化モジュール（３）、
少なくとも一人の利用者の現時点あるいは将来時点の観察画像領域に対応する第二画像データ（２１，２４）をより高い解像度で圧縮し、第二伝送チャネル（７）により伝送するための第二符号化モジュール（５）。
【請求項３９】
視線方向が視点の動きを考慮して予測されることを特徴とする前述の請求項３８に記載の装置。
【請求項４０】
視線方向が画像データの観察対象物の動きを考慮して予測されることを特徴とする前述の請求項３８に記載の装置。
【請求項４１】
視線方向が画像の注目された領域を考慮して予測されることを特徴とする前述の請求項３８に記載の装置。
【請求項４２】
観察画像領域（２１）が網膜の中心窩に投射されるべき画像領域であることを特徴とする前述の請求項３８から４１までのいずれか一つに記載の装置。
【請求項４３】
観察画像領域（２１）の広さを調節することができることを特徴とする前述の請求項４２に記載の装置。
【請求項４４】
観察画像領域（２１）の広さを第二伝送チャネル（７）の帯域幅に適合させることができることを特徴とする前述の請求項４３に記載の装置。
【請求項４５】
第一画像データ（２５）が第一伝送チャネル（４）により放送形式で伝送されることを特徴とする前述の請求項３８から４４までのいずれか一つに記載の装置。
【請求項４６】
音声データが第一画像データ（２５）と同時に第一伝送チャネル（４）により伝送されることを特徴とする前述の請求項３８から４５までのいずれか一つに記載の装置。
【請求項４７】
第二伝送チャネル（７）が双方向型であり、逆方向チャネルがこの第二伝送チャネル（７）の逆方向チャネルであるを特徴とする前述の請求項３８から４６までのいずれか一つに記載の装置。
【請求項４８】
第二伝送チャネル（７）が公衆電話交換網から構成されることを特徴とする前述の請求項４７に記載の装置。
【請求項４９】
電話網が移動無線網であることを特徴とする前述の請求項４８に記載の装置。
【請求項５０】
課金センター（６）が画像の視聴に対して利用者（９）に課金するために設けられていることを特徴とする前述の請求項３８から４９までのいずれか一つに記載の装置。
【請求項５１】
装置が第一、第二符号化モジュールのそれぞれに送られるべき画像領域（２１，２４，２５）を特定するためにセグメント化モジュール（２）から構成されることを特徴とする前述の請求項３８から５０までのいずれか一つに記載の装置。
【請求項５２】
第二符号化モジュール（５）が現時点あるいは将来時点で多くの利用者に同時に見られる少なくとも一つの画像領域に対応する画像データを一度に符号化し、多くの利用者に送信することを特徴とする前述の請求項３８から５１までのいずれか一つに記載の装置。
【発明の詳細な説明】
【０００１】
この発明は、画像データを伝送する方法とそれに適した装置に関する。
【０００２】
適当な再生手段により利用者に画像として表示することができる画像データ、特にデジタルデータは、多くの場合伝送時間を短くするため伝送前に圧縮され、再生の前あるいは再生中に伸長される。画像データの圧縮と伸長に関する種々の標準、特に種々のＭＰＥＧ標準（動画像符号化専門家会合）が既に提示されている。
【０００３】
特許出願第ＷＯ９８／３３３１５号（テキサス大学）は、目の中心窩に投射された画像の領域（観察領域）だけに最大の解像度を必要とする人間の目の生理学上の特性に基づいた別の画像データ圧縮方法を提示している。周辺の画像領域は、より低い解像度でも品質の劣化に気付かれることなく再生することができる。このように、この特許出願は、利用者の観察画像領域を連続して調べ、この画像領域だけに最大の解像度を使い、それ以外の広い領域にはより低い解像度を適用することを提案している。この観察画像領域は、一般的には画像全体の約２％だけである。そして、この方法によって強力に圧縮された画像が二つのコンピュータ間の伝送チャネルにより伝送される。
【０００４】
この方法は、特に小さなディスプレイ、例えばオフィスのコンピュータ画面に表示されるのが決まっている画像の伝送に適している。しかし、例えば幅が非常に広い形の画像や瞳が不意に動くことによって視点が早く動くような場合には、システムの反応速度が遅くなりすぎて、より低い解像度の画像領域が急に見ている領域の中心点に来ることがある。さらに、この方法は、多数の利用者に画像データを同時に発信する場合にも適していない。
【０００５】
この発明の目的は、画像データの圧縮と伝送に関する新しく、より良い方法、特に上に述べた欠点を回避する方法を提案するものである。
【０００６】
この目的は、この発明により、特に独立請求項の構成要素により達成されている。さらに、他の有利な構成は、特許請求の範囲の従属請求項および発明の詳細な説明から導き出される。
【０００７】
特に、この目的は、以下の画像データを伝送し、表示するための方法により達成される。
【０００８】
・通信端末利用者の現時点の視線方向を特定して、画像データを送信装置から少なくとも一つの通信端末に伝送し、少なくとも一つの通信端末の画像再生手段により表示する。
【０００９】
・画像領域全体に対応する第一画像データが、低い解像度で第一伝送チャネルにより伝送される。
【００１０】
・現時点の視線方向２２が送信装置１の逆方向チャネルにより送信される。
【００１１】
・利用者の現時点の観察画像領域に対応する第二画像データが、より高い解像度で第二伝送チャネルにより伝送される。
【００１２】
・第一および第二画像データが、重畳されて、同時に再生される。
【００１３】
これは、第一画像データが第一伝送チャネル（例えば放送チャネル）により伝送される一方、現時点の観察画像領域に対応する第二画像データだけが第二伝送チャネル（例えば高価な双方向移動体無線網）により伝送されるという利点を持つ。これにより、有料の移動体無線網で伝送されるデータ量を増加させることなく、前述の特許出願第ＷＯ９８／３３３１５号より高い解像度を周辺領域に使うことができる。
【００１４】
同じ画像データが、低い解像度で放送チャネルによりすべての利用者に送られる一方、それぞれの利用者の観察画像領域に対応する画像データは、より高い解像度で第二伝送チャネルにより各利用者に個別に送信される。
【００１５】
この発明の実施について、一つの例をあげて以下に記述する。この実施例は、次の添付図面により説明する。
【００１６】
図１は、この発明によるシステムのブロック図を示している。
【００１７】
図２は、ビットマップのセグメント化を模式的に示している。
【００１８】
図３は、複数の利用者が画像を見る場合に目の生理学上必要とされる必要解像度を示している。
【００１９】
図１において、参照番号１は送信装置を表しており、それは、二つの異なる伝送チャネル４，７により多数の通信端末８と通信するために、例えばハードウェアおよびソフトウェアの構成要素を持つ商用の通信サーバで構成することができる。参照番号１０は画像データを表しており、それは、例えばその内容を適当な再生手段により利用者９に静止画あるいはとりわけ動画のような画像として表示することができるデジタルデータファイルである。画像データは、例えばデジタル化された画像の連続（例えば、映画やテレビ番組）、あるいは他のマルチメディアデータ、例えば静止画および／または動画および／または音声データを含んだＨＴＭＬデータとすることができる。この発明の別の実施例では、後に述べるとおり、観察者が高い確率で視線を向ける特別に興味を持っている画像領域と画像部分の画像データ１０に特に注目している。
【００２０】
画像データの連続は、送信装置１のそこでは表示されていないシーケンサによって順番に読まれ、特にハイパーテキストの制御エレメントを持った画像データの場合には、利用者９がそのシーケンサを使って画像データの順序を選択的に制御できる。シーケンサは、例えば画像の連続した画像を読み、セグメント化モジュール２（オプション）に送るハードウェアおよび／またはソフトウェアモジュールで構成することができる。
【００２１】
セグメント化モジュール２は、図２に示すように画像をいつくかのセグメントに分ける。そのために、個々の観察者９の現時点の視線方向に関する指示Ａ、例えば少なくとも一人の観察者９の視線が現時点で向けられているすべての点２２の座標ｘ，ｙを利用する。有利には、現時点の視点２２の速度に対応した一つあるいは複数の移動ベクトル２３が更に受信されるか、あるいはセグメント化モジュールで計算される。
【００２２】
セグメント化モジュール２は、この指示Ａに基づき少なくとも一人の利用者９が現時点で見ている一つあるいは複数の領域２１を特定する。後に述べるとおり、この領域はより高い解像度で圧縮され、対応する利用者に伝送チャネル７により伝送される。周辺領域２５を含むすべての画像は、別のアルゴリズムとより低い解像度で圧縮され、すべての利用者に伝送チャネル４により送信される。各領域２１の大きさは、有利には伝送チャネル７の帯域幅に適合させることができる。典型的には、各高圧縮領域２１の大きさは、画像全体の２〜４パーセントになる。
【００２３】
有利な実施例では、セグメント化モジュール２は、更に一つあるいは複数の観察領域を予め特定しようとする。このために、セグメント化モジュールは、例えば移動ベクトル２３で示される視線の動き、画像の中の観察対象物あるいは人物、および／または画像データの特別に注目されている部分の動き、例えばマルチメディア画像データの場合におけるハイパーリンクを考慮することができる。セグメント化モジュール２は、決まってよく見られる領域を手動で注目することができるとともに、例えば目および／または画像の観察対象物の連続した位置を記憶でき、例えば適当な回帰機能を使って予想される次の視線方向を予測することができる。
【００２４】
図２に示す実施例では、種々の画像領域２１，２４，２５は長方形である。また、これらは、別の形と異なった大きさを持つこともでき、部分的あるいは全体的に重畳することができる。
【００２５】
視点から除かれた画像領域２５は、第一符号化モジュール３に送られ、そこで例えばＭＰＥＧアルゴリズムあるいは静止画の場合にはＪＰＥＧまたはＧＩＦアルゴリズムで圧縮される。第一符号化モジュール３は、有利には空間的、時間的、クロミナンス圧縮方法を使う。さらに、第一符号化モジュールは、有利には誤り訂正符号化およびチャネル符号化を行う。
【００２６】
次に、符号化モジュール３で符号化された画像領域は、送信機４から放送形式で送信され、多くの受信機８がそれぞれの放送受信機８０により受信することができる。送信機４は、例えばデータをＤＡＢあるいはＤＶＢ（デジタル音声放送あるいはデジタルビデオ放送）画像データとして、テレビ放送データ、例えばテレビデジタル符号化データ、あるいはインターネットのＴＣＰ−ＩＰデータなどとして送信することができる。さらに、符号化モジュール３で処理されたデータは、磁気式および／または光学式データ記録媒体、例えばＣＤあるいはＤＶＤにコピーされて、この形態で販売され、多くの利用者が購入することができる。
【００２７】
有利には画像領域２５が複数の連続した個々の画像から記録されるとともに、通信端末８の第一受信機８０で受信された画像データは、第一キャッシュメモリ８１にコピーされる。この方法により、両伝送チャネル４，７の伝送時間の違いを調節することができる。
【００２８】
セグメント化モジュールにより現時点および将来時点の観察画像領域２１と２４から選ばれたデータは、第二符号化モジュール５に送られ、各現時点および将来時点の観察画像領域２１，２４は、中心窩圧縮機能、すなわち前に述べた特許出願第ＷＯ９８／３３３１５号で提示されているとおり、その処理結果として視点２２の近傍の画像データを広く除かれた画像領域より高い解像度で作り出す機能を使って圧縮される。この発明の有利な実施例において、中心窩機能の少なくともあるパラメータは第二伝送チャネルの帯域幅に依存することができる。さらに、有利には第二符号化モジュール５は、誤り訂正符号化およびチャネル符号化を行う。
【００２９】
第二符号化モジュール５が符号化した画像領域２１は、それぞれ第二伝送チャネル７により現時点でこの画像領域を見ている全利用者９に送信され、そしてこれらの利用者が通信端末８の第二受信機８３（例えば移動無線端末）により受信することができる。第二伝送チャネル７は、ほぼ実時間接続を可能とする双方向通信チャネルであり、例えば公衆電話交換網、例えばＧＳＭやＵＭＴＳなどのデジタル移動無線網、あるいはＩＳＤＮなどの固定網、あるいはインターネットなどのＴＣＰ−ＩＰ網である。
【００３０】
この発明の提示されていない実施例においては、セグメント化モジュール２は無く、全ての個別画像１０は符号化モジュール３と５の両方に送られる。この場合、第一符号化モジュール３は、全ての個別画像の全ての領域２１，２４および２５を圧縮する標準モジュールとすることができる。第二符号化モジュール５は、全画像を中心窩機能により圧縮することができる。
【００３１】
通信端末８は、有利には個人が持ち運びでき、電気的に自律したもので、有利にはポケット機器として生産される。電気通信網７が移動無線網である実施例においては、少なくともある通信端末８は無線通信端末であり、例えば放送受信機８０を内蔵した移動無線電話あるいは通信機能を持ったラップトップあるいはパームトップコンピュータである。このような複合通信端末は、例えば特許出願第ＷＯ９９／６０７１２号および第ＷＯ９９／６０７１３号（両方ともスイスコムＡＧ名）ですでに提示されている。移動無線端末８３は、例えばＧＰＲＳサービス（一般パケット無線サービス）を使って、あるいはサービスチャネルに適当なプロトコルを利用して移動無線網７でデータを交換することができる。ＤＶＢ受信機を例とする第一受信機８０およびＵＭＴＳ端末機を例とする第二受信機８３は、有利には単一の装置（例えば単一のケースの中に）に統合されるが、実施例として互いの機能を結合して複数の装置に統合することもできる。この場合、両方の装置を有利には非接触型インタフェース、例えばＩｒｄＡ、ブルートゥース、あるいは家庭内無線でつなぐことができる。
【００３２】
通信端末８の第二受信機８３で受信された画像データは、第二キャッシュメモリ８４にコピーされ、これにより有利にはいくつかの連続した画像領域２１あるいは２４が第二キャッシュメモリ８４に記憶される。
【００３３】
通信端末８の重畳モジュール８２は、両方のキャッシュメモリ８１と８４から画像データを読み、これらを重畳する。このため、有利には両方のキャッシュメモリにある各画像領域２１，２４，２５は、両方の伝送チャネル４と７の伝送時間の違いを調節するため、領域が属する個別画像を示す番号を持っている。モジュール８２により選択された第二キャッシュメモリ８４の画像領域２１，２４は、現時点の観察画像領域に従って選択される。キャッシュメモリは、十分に大きく、記憶された画像データの読み出しを利用者の適切な指示により、一時停止したり、再スタートしたり、および／または後方および前方に戻すことができる。
【００３４】
そして、モジュール８２で結合された画像データに対応する画像信号は、通信端末８の表示装置８５により再生することができる。この発明の有利な実施例において、表示装置が、通信端末８の利用者９の目の網膜上に画像信号を投射する、いわゆる仮想網膜表示装置（ＶＲＤ）から構成される。このＶＲＤ表示装置は、特許出願第ＷＯ９４／０９４７２号および第ＷＯ９７／３７３３９号で提示されている。表示装置８５は、異なったフォーマットの画像データを適切なインタフェースにより受けることができる。
【００３５】
第一ユニットにある表示装置８５は、第二ユニットにある構成要素と、例えば有線インタフェースあるいは無線インタフェースで接続することができるとともに、表示装置８５および通信端末８の他の構成要素は、共通のあるいは別々の装置として実現することができる。
【００３６】
図１に模式的に示すとおり、通信端末８は、利用者９の視線方向ｘ，ｙを特定することができる視線方向測定モジュール８６を含む。そのような視線方向測定モジュール（視線追跡システムＥＴＳ）は、前に述べた特許出願第ＷＯ９４／０９４７２号に提示されている。視線方向ｘ，ｙに関する指示Ａは、すでに述べたとおり、それによってどの画像領域２１，２４を第二キャッシュメモリ８４から読み出すかを特定することができるモジュール８２に送られる。これに引き続き、この指令Ａは、送受信機８３に送られ、ここでは示されていないモジュールで利用者が規定した指示と組み合わされて、直ちに第二伝送チャネル７の逆方向チャネルにより送受信機８３から送信装置１に送信される。これらの指示Ａは、第二伝送チャネルの形式に従い、例えばＵＳＳＤメッセージとして、あるいは有利にはサービスあるいはデータチャネルにより伝送することができる。
【００３７】
一つの実施例において、有利には視線方向は、有利には少なくとも一つの目の瞳孔の位置を検出する、利用者の頭に向き合って眼鏡の上に取り付けられた測定モジュールを使って検出される。
【００３８】
他の実施例において、有利には視線方向は、利用者の頭に向き合って眼鏡の上に取り付けられた測定モジュールを使って検出され、参照系に対する利用者９の頭の位置および／または向きを測定システム、有利には利用者の頭に取り付けられた慣性システムを使って検出される。これにより、利用者の視角全体より広く、利用者が頭を回すとその内容が動く画像データを利用者９に投射することができる。このようにして、現時点の視線方向２２は、有効な観察領域２１と結びつけられる。この方法により、非常に広角な映画を利用者に見せることができる。
【００３９】
視線方向と同様に送り返される利用者が規定した追加の指示Ａは、有利には、例えば個人識別モジュール８３０（例えばＳＩＭカード）に記録された利用者識別を含んでいる。さらに、これらの追加の指示は、利用者９の別の命令（例えば、表示される画像がハイパーリンクを含んでいる場合には、利用者が選択するＵＲＬ）あるいは別のメニューの選択を含むことができる。これらの追加の指示は、一緒にあるいは別々に伝送することができる。少なくともある追加の指示には、暗号化および／または電子的な署名を施すことができる。
【００４０】
送信装置１において、受信された現時点の視点ｘ，ｙに関する指示Ａは、現時点の観察画像領域２１を決め、ならびに場合によっては将来時点の画像領域２４を予測し、これらの画像領域２１，２４を符号化モジュール５に送るために、セグメント化モジュール２で利用される。
【００４１】
追加の指示として伝送された利用者識別は、画像データの視聴に対して課金する送信装置側の課金センター６で利用される。課金金額は、例えば識別モジュール８３０に登録されたプリペイド金額から直接に、あるいは銀行口座、クレジットカードや請求書方式（例えば、電話の請求書の一部として）により引き落とされ、また例えば利用された画像の時間単位、利用された作品単位、追加情報あるいはページ単位、および／または定期利用との組み合わせにより課金計算することができる。利用者固有の請求設定（例えば、希望の請求住所と請求方法）は、課金センターの利用者データバンク６０に保存することができる。課金センターは、送信装置１に統合するか、あるいは他の形態として別の機関が（例えばネットワーク７の運用者が）運営することができる。
【００４２】
通信端末８の利用者９により入力され、追加の指示として第二伝送チャネル７により伝送された選択コマンドと命令は、表示されていないシーケンサにより受信され、例えば利用者が要求した画像データ、例えばサブタイトル、ＨＴＭＬ、ＷＭＬページ、音声シーケンス等を入手して、両伝送チャネルにより通信端末４に伝送できるようにするため更に処理される。
【００４３】
この発明は、共通のデータを放送チャネル４により送信し、個人の視線方向に依存したデータをアドレス指定されたチャネル７により伝送することにおいて、特に多くの利用者９に向けて画像データ１（例えば、映画あるいはテレビ放送）を同時に伝送するのに適している。また、この発明は、ビデオ会議あるいは画像伝送を伴った二人の参加者間での電話通信にも利用できる。ここでは、目の生理学上必要とされる必要解像度を考慮して、画像データの伝送を通信チャネル４と７の決められた最大帯域幅の範囲内に適合させている。
【００４４】
この発明は、いくつかの詳細な説明においてＧＳＭ移動無線網における特別な実施例を提示しているが、当業者は、この方法を別の種類の移動および固定網、例えばＡＭＰＳ、ＴＤＭＡ、ＣＤＭＡ、ＴＡＣＳ、ＰＤＣ、ＨＳＣＳＤ、ＧＰＲＳ、ＥＤＧＥあるいはＵＭＴＳ移動無線網にも、特にＷＡＰ（無線アプリケーションプロトコル）機能を有する移動無線網にも適用できることを理解するでしょう。さらに、この発明は、別のネットワーク、特にインターネットでも利用することができる。
【図面の簡単な説明】
【図１】  この発明によるシステムのブロック図、
【図２】  この発明によるビットマップのセグメント化の模式図、
【図３】  この発明による複数の利用者が画像を見る場合に目の生理学上必要とされる必要解像度。
【符号の説明】
１              送信装置
１０            画像データ
２              セグメント化モジュール
２０            個別画像
２１            現時点の観察領域
２２            現時点の視点ｘ，ｙ（視線方向）
２３            移動ベクトル
２４            予測観察領域
２５            周辺領域
３              第一符号化モジュール
４              第一伝送チャネル
５              第二符号化モジュール
６              課金センター
６０            利用者データバンク
７              第二伝送チャネル
８              通信端末
８０            第一受信機（放送受信機）
８１            第一キャッシュメモリ
８２            重畳モジュール
８３            第二受信機（移動無線端末）
８３０          識別モジュール（ＳＩＭカード）
８４            第二キャッシュメモリ
８５            表示装置
８６            視線方向測定モジュール（ＥＴＳ）
９              利用者（観察者）
【図１】
0004456791.tif 000002
【図２】
0004456791.tif 000003
【図３】
0004456791.tif 000004